(57)【要約】【課題】カメラを固定した状態であっても、撮影範囲を様々なシーンに合わせて柔軟に調整可能な撮像装置を提供する。【解決手段】画像データの一部を撮影対象として切り出して記録する場合に、ユーザがキー入力部３６に含まれる角度調整用のキーを操作することで、制御部３２の制御により、部分画像の切り出し角度が変更され、その変更後の部分画像が表示部１９に再表示される。これにより、例えばカメラが傾いて固定されていた場合などにおいて、被写体の傾きを画面上で簡単に修正して撮影することが可能である。【選択図】      図２
2005347885.tif 000002
【特許請求の範囲】
【請求項１】
被写体を撮影する撮像手段と、
この撮像手段を通じて得られる画像データに基づいて、撮影対象として記録する部分画像の切り出し範囲を視認可能な形態で表示する表示手段と、
角度調整を指示する角度調整指示手段と、
この角度調整指示手段による角度調整指示に従って前記表示手段に視認可能な形態で表示する前記切り出し範囲の角度を変更する表示制御手段と、
撮影指示を行う撮影指示手段と、
この撮影指示手段による撮影指示があったときに前記画像データから前記切り出し範囲内の部分画像を切り出し、その切り出した部分画像を所定のメモリに記録する撮影処理手段と
を具備したことを特徴とする撮像装置。
【請求項２】
被写体を撮影する撮像手段と、
この撮像手段を通じて得られる画像データに基づいて、撮影対象として記録する部分画像の切り出し範囲を視認可能な形態で表示する表示手段と、
前記被写体に対する合焦位置を検出する合焦位置検出手段と、
この合焦位置検出手段によって検出された合焦位置に、前記表示手段に視認可能な形態で表示する前記切り出し範囲を設定する表示制御手段と、
撮影指示を行う撮影指示手段と、
この撮影指示手段による撮影指示があったときに前記画像データから前記切り出し範囲内の部分画像を切り出し、その切り出した部分画像を所定のメモリに記録する撮影処理手段と
を具備したことを特徴とする撮像装置。
【請求項３】
前記表示手段は、前記撮像手段を通じて得られる画像データをスルー画像として表示し、そのスルー画像の中で部分画像の切り出し範囲を特定の表示形態で表示することを特徴とする請求項１または２記載の撮像装置。
【請求項４】
前記表示手段は、前記撮像手段を通じて得られる画像データから切り出される前記切り出し範囲内の部分画像をスルー画像として表示することを特徴とする請求項１または２記載の撮像装置。
【請求項５】
位置調整を指示する位置調整指示手段を備え、
前記表示制御手段は、前記位置調整指示手段による位置調整指示に従って前記表示手段に視認可能な形態で表示する前記切り出し範囲の位置を変更することを特徴とする請求項１乃至４のいずれか１つに記載の撮像装置。
【請求項６】
サイズ調整を指示するサイズ調整指示手段を備え、
前記表示制御手段は、前記サイズ調整指示手段によるサイズ調整指示に従って前記表示手段に視認可能な形態で表示する前記切り出し範囲のサイズを変更することを特徴とする請求項１乃至５のいずれか１つに記載の撮像装置。
【請求項７】
前記表示制御手段は、前記合焦位置検出手段によって検出された合焦位置に部分画像の中心が来るように前記切り出し範囲を設定することを特徴とする請求項２記載の撮像装置。
【請求項８】
角度調整を指示する角度調整指示手段を備え、
前記表示制御手段は、前記角度調整指示手段による角度調整指示に従って前記表示手段に視認可能な形態で表示する前記切り出し範囲の角度を変更することを特徴とする請求項２記載の撮像装置。
【請求項９】
被写体を撮影する機能を備えた装置に用いられる撮影範囲調整方法であって、
前記撮影機能によって得られる画像データに基づいて、撮影対象として記録する部分画像の切り出し範囲を視認可能な形態で表示するステップと、
角度調整の指示に従って前記視認可能な形態で表示する前記切り出し範囲の角度を変更するステップと、
撮影指示があったときに前記画像データから前記切り出し範囲内の部分画像を切り出し、その切り出した部分画像を所定のメモリに記録するステップと
を備えたことを特徴とする撮影範囲調整方法。
【請求項１０】
被写体を撮影する機能を備えた装置に用いられる撮影範囲調整方法であって、
前記撮影機能によって得られる画像データに基づいて、撮影対象として記録する部分画像の切り出し範囲を視認可能な形態で表示するステップと、
前記被写体に対する合焦位置を検出するステップと、
前記検出された合焦位置に、前記視認可能な形態で表示する前記切り出し範囲を設定するステップと、
撮影指示があったときに前記画像データから前記切り出し範囲内の部分画像を切り出し、その切り出した部分画像を所定のメモリに記録するステップと
を備えたことを特徴とする撮影範囲調整方法。
【請求項１１】
被写体を撮影する機能を備えた装置に用いられるコンピュータによって実行されるプログラムであって、
前記コンピュータに、
前記撮影機能によって得られる画像データに基づいて、撮影対象として記録する部分画像の切り出し範囲を視認可能な形態で表示する機能と、
角度調整の指示に従って前記視認可能な形態で表示する前記切り出し範囲の角度を変更する機能と、
撮影指示があったときに前記画像データから前記切り出し範囲内の部分画像を切り出し、その切り出した部分画像を所定のメモリに記録する機能と
を実現させることを特徴とするプログラム。
【請求項１２】
被写体を撮影する機能を備えた装置に用いられるコンピュータによって実行されるプログラムであって、
前記コンピュータに、
前記撮影機能によって得られる画像データに基づいて、撮影対象として記録する部分画像の切り出し範囲を視認可能な形態で表示する機能と、
前記被写体に対する合焦位置を検出する機能と、
前記検出された合焦位置に、前記視認可能な形態で表示する前記切り出し範囲を設定する機能と、
撮影指示があったときに前記画像データから前記切り出し範囲内の部分画像を切り出し、その切り出した部分画像を所定のメモリに記録する機能と
を実現させることを特徴とするプログラム。
【発明の詳細な説明】
【技術分野】
【０００１】
本発明は、例えばデジタルカメラなどの撮像装置に係り、特に、撮影範囲を任意に調整可能な撮像装置と、この撮像装置に用いられる撮影範囲調整方法及びプログラムに関する。
【背景技術】
【０００２】
例えばデジタルカメラでは、撮影時に現在カメラで捕らえている撮影対象をスルー画像として画面上に表示する機能を備えている。ユーザはこの画面上に表示されたスルー画像を見ながら被写体の位置を確認し、所望のタイミングでシャッターを押下操作することで、前記スルー画像を撮影画像として取り込み、メモリカードなどの記録媒体に記録することができる。
【０００３】
また、この種のデジタルカメラでは、撮影対象とする範囲（デジタルズーム領域）を画面上でユーザ操作により任意に移動可能とし、その範囲内の画像を部分的に切り出して記録するものがある（例えば、特許文献１参照）。
【特許文献１】特開２００４−２３６３１号公報
【発明の開示】
【発明が解決しようとする課題】
【０００４】
撮影を行う際に、手ブレなどを防ぐためにカメラを三脚等で固定することがある。しかし、カメラを固定すると、撮影範囲が制約されてしまうため、例えば被写体の位置を変えるような場合に、固定したカメラを動かす作業が必要となり、非常に手間がかかるといった問題が生じる。
【０００５】
この場合、前記特許文献１のように、画面上で撮影範囲を上下左右方向にのみ移動させることができるものがある。しかし、被写体の位置や構図によってはカメラの傾きを変えたり、焦点を変えたりする必要があり、カメラを動かさずに、そのような要求に柔軟に対応できるものが求められる。
【０００６】
本発明は前記のような点に鑑みなされたもので、カメラを固定した状態であっても、撮影範囲を様々なシーンに合わせて柔軟に調整することのできる撮像装置、撮影範囲調整方法及びプログラムを提供することを目的とする。
【課題を解決するための手段】
【０００７】
本発明の請求項１に係る撮像装置は、被写体を撮影する撮像手段と、この撮像手段を通じて得られる画像データに基づいて、撮影対象として記録する部分画像の切り出し範囲を視認可能な形態で表示する表示手段と、角度調整を指示する角度調整指示手段と、この角度調整指示手段による角度調整指示に従って前記表示手段に視認可能な形態で表示する前記切り出し範囲の角度を変更する表示制御手段と、撮影指示を行う撮影指示手段と、この撮影指示手段による撮影指示があったときに前記画像データから前記切り出し範囲内の部分画像を切り出し、その切り出した部分画像を所定のメモリに記録する撮影処理手段とを具備したことを特徴とする。
【０００８】
このような構成によれば、画像データの一部を撮影対象として切り出して記録する場合に、ユーザ操作により画面上で部分画像の切り出し角度を任意に変更できる。したがって、例えばカメラが傾いて固定されていた場合などにおいて、被写体の傾きを画面上で簡単に修正して撮影することが可能である。
【０００９】
本発明の請求項２に係る撮像装置は、被写体を撮影する撮像手段と、この撮像手段を通じて得られる画像データに基づいて、撮影対象として記録する部分画像の切り出し範囲を視認可能な形態で表示する表示手段と、前記被写体に対する合焦位置を検出する合焦位置検出手段と、この合焦位置検出手段によって検出された合焦位置に、前記表示手段に視認可能な形態で表示する前記切り出し範囲を設定する表示制御手段と、撮影指示を行う撮影指示手段と、この撮影指示手段による撮影指示があったときに前記画像データから前記切り出し範囲内の部分画像を切り出し、その切り出した部分画像を所定のメモリに記録する撮影処理手段とを具備したことを特徴とする。
【００１０】
このような構成によれば、画像データの一部を撮影対象として切り出して記録する場合に、その切り出し範囲が合焦位置に自動設定されるので、様々なシーンにおける被写体の位置に合わせて撮影対象とする部分画像を切り出すことができる。
【００１１】
また、本発明の請求項３は、前記請求項１または２記載の撮像装置において、前記表示手段は、前記撮像手段を通じて得られる画像データをスルー画像として表示し、そのスルー画像の中で部分画像の切り出し範囲を特定の表示形態で表示することを特徴とする
このような構成によれば、画像データがスルー画像として表示され、その中で部分画像の切り出し範囲が特定の表示形態で表示されるので、撮影対象として記録される部分画像を画像データの全範囲と対比させて画面上で確認することができる。
【００１２】
また、本発明の請求項４は、前記請求項１または２記載の撮像装置において、前記表示手段は、前記撮像手段を通じて得られる画像データから切り出される前記切り出し範囲内の部分画像をスルー画像として表示することを特徴とする。
【００１３】
このような構成によれば、画像データから切り出される切り出し範囲内の部分画像がスルー画像として表示されるので、常に撮影対象として記録される部分画像を画面上で確認することができる。
【００１４】
また、本発明の請求項５は、前記請求項１乃至４のいずれか１つに記載の撮像装置において、位置調整を指示する位置調整指示手段を備え、前記表示制御手段は、前記位置調整指示手段による位置調整指示に従って前記表示手段に視認可能な形態で表示する前記切り出し範囲の位置を変更することを特徴とする。
【００１５】
このような構成によれば、ユーザ操作により画面上で撮影対象として記録される部分画像の切り出し位置を任意に変更することができる。
【００１６】
また、本発明の請求項６は、前記請求項１乃至５のいずれか１つに記載の撮像装置において、サイズ調整を指示するサイズ調整指示手段を備え、前記表示制御手段は、前記サイズ調整指示手段によるサイズ調整指示に従って前記表示手段に視認可能な形態で表示する前記切り出し範囲のサイズを変更することを特徴とする。
【００１７】
このような構成によれば、ユーザ操作により画面上で撮影対象として記録される部分画像の切り出しサイズを任意に変更することができる。
【００１８】
また、本発明の請求項７は、前記請求項２記載の撮像装置において、前記表示制御手段は、前記合焦位置検出手段によって検出された合焦位置に部分画像の中心が来るように前記切り出し範囲を設定することを特徴とする。
【００１９】
このような構成によれば、様々なシーンにおける被写体の位置に切り出し範囲の中心を設定し、その切り出し範囲内の部分画像を切り出すことができる。
【００２０】
また、本発明の請求項８は、前記請求項２記載の撮像装置において、角度調整を指示する角度調整指示手段を備え、前記表示制御手段は、前記角度調整指示手段による角度調整指示に従って前記表示手段に視認可能な形態で表示する前記切り出し範囲の角度を変更することを特徴とする。
【００２１】
このような構成によれば、ユーザ操作により画面上で部分画像の切り出し角度を任意に変更できる。したがって、例えばカメラが傾いて固定されていた場合などにおいて、被写体の傾きを画面上で簡単に修正して撮影することが可能である。
【００２２】
本発明の請求項９に係る撮影範囲調整方法は、被写体を撮影する機能を備えた装置に用いられる撮影範囲調整方法であって、前記撮影機能によって得られる画像データに基づいて、撮影対象として記録する部分画像の切り出し範囲を視認可能な形態で表示するステップと、角度調整の指示に従って前記視認可能な形態で表示する前記切り出し範囲の角度を変更するステップと、撮影指示があったときに前記画像データから前記切り出し範囲内の部分画像を切り出し、その切り出した部分画像を所定のメモリに記録するステップとを備えたことを特徴とする。
【００２３】
このような撮影範囲調整方法によれば、前記各ステップに従った処理を実行することにより、前記請求項１記載の発明と同様の作用効果が奏せられる。
【００２４】
本発明の請求項１０に係る撮影範囲調整方法は、被写体を撮影する機能を備えた装置に用いられる撮影範囲調整方法であって、前記撮影機能によって得られる画像データに基づいて、撮影対象として記録する部分画像の切り出し範囲を視認可能な形態で表示するステップと、前記被写体に対する合焦位置を検出するステップと、前記検出された合焦位置に、前記視認可能な形態で表示する前記切り出し範囲を設定するステップと、撮影指示があったときに前記画像データから前記切り出し範囲内の部分画像を切り出し、その切り出した部分画像を所定のメモリに記録するステップとを備えたことを特徴とする。
【００２５】
このような撮影範囲調整方法によれば、前記各ステップに従った処理を実行することにより、前記請求項２記載の発明と同様の作用効果が奏せられる。
【００２６】
本発明の請求項１１に係るプログラムは、被写体を撮影する機能を備えた装置に用いられるコンピュータによって実行されるプログラムであって、前記コンピュータに、前記撮影機能によって得られる画像データに基づいて、撮影対象として記録する部分画像の切り出し範囲を視認可能な形態で表示する機能と、角度調整の指示に従って前記視認可能な形態で表示する前記切り出し範囲の角度を変更する機能と、撮影指示があったときに前記画像データから前記切り出し範囲内の部分画像を切り出し、その切り出した部分画像を所定のメモリに記録する機能とを実現させることを特徴とする。
【００２７】
したがって、コンピュータが前記各機能を実現するためのプログラムを実行することにより、前記請求項１記載の発明と同様の作用効果が奏せられる。
【００２８】
本発明の請求項１２に係るプログラムは、被写体を撮影する機能を備えた装置に用いられるコンピュータによって実行されるプログラムであって、前記コンピュータに、前記撮影機能によって得られる画像データに基づいて、撮影対象として記録する部分画像の切り出し範囲を視認可能な形態で表示する機能と、前記被写体に対する合焦位置を検出する機能と、前記検出された合焦位置に、前記視認可能な形態で表示する前記切り出し範囲を設定する機能と、撮影指示があったときに前記画像データから前記切り出し範囲内の部分画像を切り出し、その切り出した部分画像を所定のメモリに記録する機能とを実現させることを特徴とする。
【００２９】
したがって、コンピュータが前記各機能を実現するためのプログラムを実行することにより、前記請求項２記載の発明と同様の作用効果が奏せられる。
【発明の効果】
【００３０】
本発明によれば、画像データの一部を撮影対象として切り出して記録する場合に、カメラを固定した状態であっても、撮影範囲を様々なシーンに合わせて柔軟に調整して撮影を行うことができる。
【発明を実施するための最良の形態】
【００３１】
以下、図面を参照して本発明の実施形態を説明する。
【００３２】
図１は本発明の一実施形態に係る撮像装置としてデジタルカメラを例にした場合の外観構成を示す図であり、図１（ａ）は主に前面の構成、同図（ｂ）は主に背面の構成を示す斜視図である。
【００３３】
このデジタルカメラ１は、略矩形の薄板状ボディ２の前面に、撮影レンズ３、セルフタイマランプ４、光学ファインダ窓５、ストロボ発光部６などを有し、上面の（ユーザにとって）右端側には電源キー７及びシャッタキー８などが設けられている。
【００３４】
電源キー７は、電源のオン／オフ毎に操作するキーであり、シャッタキー８は、撮影時に撮影タイミングを指示するキーである。
【００３５】
また、デジタルカメラ１の背面には、撮影モード（Ｒ）キー９、再生モード（Ｐ）キー１０が設けられている他に、光学ファインダ１１、ストロボキー１２、メニュー（ＭＥＮＵ）キー１３、リングキー１４、方向キー１５ａ〜１５ｄ、セット（ＳＥＴ）キー１６などが設けられている。さらに、ズームキー１７ａ，１７ｂ、角度調整キー１８ａ，１８ｂ、そして、表示部１９が設けられている。
【００３６】
撮影モードキー９は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。また、動画モードは、動画を撮影するためのモードである。
【００３７】
前記シャッタキー８は、これらの撮影モードに共通に使用される。すなわち、静止画モードでは、シャッタキー８が押下されたときのタイミングで静止画の撮影が行われる。動画モードでは、シャッタキー８が押下されたときのタイミングで動画の撮影が開始され、シャッタキー８が再度押下されたときにその動画の撮影が終了する。
【００３８】
再生モードキー１０は、電源オフの状態から操作することで自動的に電源オンとして再生モードに移行する。
【００３９】
ストロボキー１２は、ストロボ発光部６の発光モードを切換える際に操作する。メニューキー１３は、各種メニュー項目等を選択する際に操作する。リングキー１４は、上下左右の各方向キー１５ａ〜１５ｄが一体に形成されたものであり、このリングキー１４の中央に位置するセットキー１６は、その時点で選択されている項目を設定する際に操作する。
【００４０】
ここで、本実施形態において、前記リングキー１４上の上下左右の各方向キー１５ａ〜１５ｄは、撮影時に後述する部分画像の切り出し位置の調整を指示するための位置調整キーとして用いられる。
【００４１】
また、ズームキー１７ａ，１７ｂは、部分画像の切り出しサイズの調整を指示するためのサイズ調整キーとして用いられる。このうち、ズームキー１７ａは切り出しサイズの拡大、ズームキー１７ｂは切り出しサイズの縮小を指示する際に操作する。
【００４２】
また、角度調整キー１８ａ，１８ｂは、部分画像の切り出し角度の調整を指示するための角度調整キーとして用いられる。このうち、角度調整キー１８ａは画面に向かって右回りの角度変更、角度調整キー１８ｂは画面に向かって左回りの角度変更を指示する際に操作する。
【００４３】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００４４】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられているものとする。
【００４５】
図２はデジタルカメラ１の電子回路構成を示すブロック図である。
【００４６】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ２３が配設されている。このＣＣＤ２３は、撮影レンズ３を通過する光を受光し、その受光量に応じた画像データを取得する。
【００４７】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。
【００４８】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４９】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００５０】
制御部３２は、ＣＰＵと、このＣＰＵで実行される動作プログラムを記憶したＲＯＭ、及びワークメモリとして使用されるＲＡＭなどを含むマイクロコンピュータにより構成される。この制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００５１】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００５２】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００５３】
このように、表示部１９にその時点での画像がモニタ画像としてリアルタイムに表示されている状態で、例えば静止画撮影を行いたいタイミングでシャッタキー８を押下操作すると、トリガ信号が発生する。
【００５４】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５５】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書き込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５６】
そして得た符号データを１画像のデータファイルとして該画像処理部３７から読み出して記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００５７】
制御部３２には、さらにＵＳＢインタフェース（Ｉ／Ｆ）３９、ストロボ駆動部４０が接続される。
【００５８】
ＵＳＢインタフェース３９は、ＵＳＢコネクタを介して有線接続されるパーソナルコンピュータ等の他の情報端末装置との間で画像データ、その他の送受を行う場合の通信制御を行う。ストロボ駆動部４０は、撮影時に図示せぬストロボ用の大容量コンデンサを充電した上で、制御部３２からの制御に基づいてストロボ発光部６を閃光駆動する。
【００５９】
なお、前記キー入力部３６は、上述したシャッタキー８の他に、電源キー７、撮影モードキー９、再生モードキー１０、ストロボキー１２、メニューキー１３、リングキー１４、各方向キー１５ａ〜１５ｄ、セットキー１６、ズームキー１７ａ，１７ｂ、角度調整キー１８ａ，１８ｂなどから構成され、それらのキー操作に伴う信号は直接制御部３２へ送出される。
【００６０】
また、静止画像ではなく動画像の撮影時においては、シャッタキー８が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）またはｍｏｔｉｏｎ−ＪＰＥＧ（Ｊｏｉｎｔ  Ｐｈｏｔｏｇｒａｐｈｉｃ  Ｅｘｐｅｒｔｓ  Ｇｒｏｕｐ）などの手法により撮影動画をデータ圧縮してメモリ３８へ記録する。この場合、音声付き動画撮影であれば、圧縮された動画データに音声データが統合されてメモリ３８に記録される。再度シャッタキー８が操作されると、動画データの記録を終了する。
【００６１】
一方、基本モードである再生モード時には、制御部３２がメモリ３８に記録されている画像データを選択的に読み出し、画像処理部３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００６２】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００６３】
次に、同実施形態の動作について説明する。
【００６４】
なお、以下のフローチャートで示される処理は、デジタルカメラ１に搭載されたマイクロコンピュータである制御部３２がＲＯＭ等に記憶されたプログラムを読み込むことにより実行される。
【００６５】
図３は同実施形態におけるデジタルカメラ１の撮影時の処理動作を示すフローチャートである。なお、このデジタルカメラ１では、上述したように静止画の撮影と動画の撮影の両方が可能であり、そのどちらの撮影でも本発明を適用可能であるが、ここでは説明を簡単にするため、静止画の撮影を想定して説明する。
【００６６】
電源投入後、撮影モードキー９の操作により静止画撮影モードを設定すると、ＣＣＤ２３を含む撮像系を通じて被写体の画像データが得られる（ステップＳ１１）。制御部３２は、この画像データの全範囲をスルー画像として表示部１９の画面上に表示する（ステップＳ１２）。その際、制御部３２は、図４に示すように、前記スルー画像の中で撮影対象として記録する部分画像の切り出し範囲を特定の表示形態である切り出し枠（トリミング枠）Ｐを用いて表示する（ステップＳ１３）。
【００６７】
初期状態では、この切り出し枠Ｐは画像データの中心位置に設定されている。なお、この切り出し枠Ｐ（つまり部分画像の切り出し範囲）は矩形が基本であるが、例えば円形などの他の形状であっても良く、その形状について特に限定されるものではない。
【００６８】
ここで、ユーザがシャッタキー８を半押しするなどのＡＦ操作を行うと（ステップＳ１４）、制御部３２はオートフォーカス処理を実行して（ステップＳ１５）、一番近い被写体に焦点が合ったときの画面上の位置（合焦位置）を検出する（ステップＳ１６）。
【００６９】
詳しくは、例えばコントラスト方式であれば、図２に示すレンズ光学系２２に含まれるフォーカスレンズを光軸方向に移動させて、ＣＣＤ２３に結像した画像のコントラストを当該画像の各エリア毎にチェックし、コントラストが最も強く表れる位置を合焦位置として検出する。このようにして合焦位置が検出されると、制御部３２は、その合焦位置に切り出し枠Ｐの中心を設定する（ステップＳ１７）。このときの様子を図５に示す。図中のＦがオートフォーカス処理によって得られた合焦位置であり、その合焦位置Ｆに切り出し枠Ｐの中心が自動的に設定される。
【００７０】
続いて、ユーザが角度調整キー１８ａ，１８ｂの操作により角度調整を指示すると（ステップＳ１８のＹｅｓ）、制御部３２はその調整指示に従って切り出し枠Ｐの角度を変更し、図６に示すように、その変更後の切り出し枠Ｐの表示を更新する（ステップＳ１９）。図６の例では、角度調整キー１８ａの押下操作により、合焦位置Ｆを中心軸にして切り出し枠Ｐを画面に向かって右回りに回転させることで角度変更した場合を示している。
【００７１】
また、ユーザがリングキー１４の各方向キー１５ａ〜１５ｄの操作により位置調整を指示すると（ステップＳ２０のＹｅｓ）、制御部３２はその調整指示に従って切り出し枠Ｐの位置を変更し、図７に示すように、その変更後の切り出し枠Ｐの表示を更新する（ステップＳ２１）。図７の例では、右方向キー１５ａと下方向キー１５ｂの押下操作により、切り出し枠Ｐを画面に向かって右下方向に移動させた場合を示している。
【００７２】
また、ユーザがズームキー１７ａ，１７ｂの操作によりサイズ調整を指示すると（ステップＳ２２のＹｅｓ）、制御部３２はその調整指示に従って切り出し枠Ｐのサイズを変更し、図８に示すように、その変更後の切り出し枠Ｐの表示を更新する（ステップＳ２３）。図８の例では、ズームキー１７ａの押下操作により、切り出し枠Ｐを拡大した場合を示している。
【００７３】
このように、表示部１９の画面を見ながら、撮影対象となる部分画像の切り出し角度、位置、サイズを所定の操作により任意に変更することができる。ここで、シャッタキー８を押下操作して撮影指示を行うと（ステップＳ２３のＹｅｓ）、制御部３２はそのシャッタキー８の押下タイミングで撮影処理を実行し、画像データから現在表示されている切り出し枠Ｐ内の部分画像を切り出して撮影画像として取り込み（ステップＳ２４）、所定の方式で圧縮してメモリ３８に記録する（ステップＳ２５）。
【００７４】
なお、このときの撮影処理には、シャッタキー８の押下操作により撮影指示があったときに、その時点でＣＣＤ２３の駆動方式を静止画撮影モード用に切り替えることで、ＣＣＤ２３により得られる高画質の画像データを撮影画像として取り込んで記録する方法と、スルー表示状態で、シャッタキー８が押下操作されたときに、その直前のスルー画像（低画質の画像データ）をそのまま記録用として用いる方法の２通りがある。図２に示した回路構成では、前者の方法を用いた場合の動作について説明したが、本発明はそのどちらの方法に限定されるものではない。
【００７５】
図９はメモリ３８に記録される撮影画像の一例を示す図であり、図７の表示状態でシャッタキー８を押下操作して切り出し枠Ｐ内の部分画像を撮影対象として取り込んだ場合を示している。
【００７６】
以上のように、画像データの一部を撮影対象として切り出して記録する場合において、ユーザ操作により、その撮影対象となる部分画像の切り出し範囲を任意に変更することができるので、例えば三脚等にてデジタルカメラ１が固定された状態であっても、画面の範囲内であれば、被写体の位置を自由に調整して撮影することができる。
【００７７】
この場合、単に上下や左右方向の被写体の位置だけでなく、角度の調整も可能であるため、例えばデジタルカメラ１が地面に対して傾いて固定されていた場合などにおいて、被写体の傾きを画面上で簡単に修正して撮影できるといった利点がある。したがって、位置調整、サイズ調整（デシタルズーム）などと合わせて行えば、被写体の位置調整の自由度が格段に増し、様々なシーンに柔軟に対応して所望の撮影画像を得ることができる。
【００７８】
さらに、デジタルカメラ１にＡＦ機能を備えている場合に、そのＡＦ機能によって検出された合焦位置に切り出し範囲の中心が自動設定されるので、ユーザが特に意識しなくとも、様々なシーンにおける被写体の位置に切り出し範囲を簡単に設定でき、その範囲内の画像を撮影対象として記録することが可能である。
【００７９】
なお、前記実施形態では、ＡＦ機能によって最も近い被写体の位置に自動的に焦点を合わせるものとして説明したが、手動操作によりユーザが任意に焦点を合わせることでも良い。その場合には、前記ステップＳ２０に示した位置調整の手動操作を焦点調整操作と兼ねることができるので、所望の被写体位置に切り出し範囲をより速く設定できるといった利点がある。
【００８０】
また、前記実施形態では、全体画像をスルー表示した中に部分画像の切り出し範囲を示す切り出し枠Ｐを表示するようにしたが、画面上に切り出し枠Ｐ内の部分画像のみをスルー表示することでも良い。
【００８１】
図１０はその表示例を示す図であり、図１０（ａ）は初期状態、同図（ｂ）はＡＦ時の状態を示している。
【００８２】
すなわち、初期状態では、ＣＣＤ２３を含む撮像系によって被写体の画像データが得られ、その画像データの中心位置を基準にした所定範囲内の画像が部分的に切り出されて、図１０（ａ）に示すように表示部１９の画面全体にスルー表示される。この状態で、ＡＦ機能により焦点を合わせると、そのときの合焦位置Ｆを中心とした部分画像が切り出されて、同図（ｂ）に示すように表示される。
【００８３】
この場合、例えば画面の上下左右端に画像の存在を示すマーク１９ａ〜１９ｄが表示される。ユーザはこれらのマーク１９ａ〜１９ｄを見て、未表示の画像がどの方向にあるのかを知ることができ、結果として、どの方向に切り出し範囲を変更することができるのかを知ることができる。
【００８４】
ここで、前記実施形態と同様にリングキー１４上の各方向キー１５ａ〜１５ｄを操作すれば、これらのキー操作に従って部分画像の切り出し範囲が変更され、その変更後の部分画像が再表示される。さらに、角度調整キー１８ａ，１８ｂを操作すれば、切り出し角度が変更され、また、ズームキー１７ａ，１７ｂを操作すれば、切り出しサイズが変更されて、その変更後の部分画像が再表示されることになる。
【００８５】
なお、前記実施形態では、部分画像の切り出し角度や位置、サイズの調整を指示する場合に、それぞれに対応した専用のキーを操作する構成としたが、例えば表示部１９の画面をタッチパネルで構成することで、ペンや指などで画面に触れることで、これらの指示操作を行うようにも良い。
【００８６】
また、本発明の撮像装置としては、デジタルカメラに限らず、例えばカメラ付きの携帯電話器やＰＤＡ（Personal Digital Assistant）など、カメラ機能を備えた電子機器であれば、その全てに本発明の手法を適用可能である。
【００８７】
その他、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８８】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【００８９】
【図１】本発明の一実施形態に係る撮像装置としてデジタルカメラを例にした場合の外観構成を示す図であり、図１（ａ）は主に前面の構成、同図（ｂ）は主に背面の構成を示す斜視図。
【図２】同実施形態におけるデジタルカメラの電子回路構成を示すブロック図。
【図３】同実施形態におけるデジタルカメラの撮影時の処理動作を示すフローチャート。
【図４】同実施形態におけるデジタルカメラのスルー画像の表示例を示す図であり、初期状態での部分画像を示す図。
【図５】同実施形態におけるデジタルカメラのスルー画像の表示例を示す図であり、ＡＦ時のスルー画像を示す図。
【図６】同実施形態におけるデジタルカメラのスルー画像の表示例を示す図であり、切り出し角度を変更した状態を示す図。
【図７】同実施形態におけるデジタルカメラのスルー画像の表示例を示す図であり、切り出し位置を変更した状態を示す図。
【図８】同実施形態におけるデジタルカメラのスルー画像の表示例を示す図であり、切り出しサイズを変更した状態を示す図。
【図９】同実施形態におけるデジタルカメラの部分画像を撮影画像として記録した場合の一例を示す図。
【図１０】他の実施形態として切り出し範囲内のスルー画像のみを表示する場合の表示例を示す図であり、図１０（ａ）は初期状態、同図（ｂ）はＡＦ時の状態を示す図。
【符号の説明】
【００９０】
１…デジタルカメラ、２…ボディ、３…撮影レンズ、４…セルフタイマランプ、５…光学ファインダ窓、６…ストロボ発光部、７…電源キー、８…シャッタキー、９…撮影モードキー、１０…再生モードキー、１１…光学ファインダ、１２…ストロボキー、１３…メニュー（ＭＥＮＵ）キー、１４…リングキー、１５ａ〜１５ｄ…各方向キー、１６…セット（ＳＥＴ）キー、１７ａ，１７ｂ…ズームキー、１８ａ，１８ｂ…角度調整キー、１９…表示部、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…画像処理部、３８…メモリ、３９…ＵＳＢインタフェース（Ｉ／Ｆ）、４０…ストロボ駆動部、Ｐ…切り出し枠、Ｆ…合焦位置、１９ａ〜１９ｄ…マーク。
【図１】
2005347885.tif 000003
【図２】
2005347885.tif 000004
【図３】
2005347885.tif 000005
【図４】
2005347885.tif 000006
【図５】
2005347885.tif 000007
【図６】
2005347885.tif 000008
【図７】
2005347885.tif 000009
【図８】
2005347885.tif 000010
【図９】
2005347885.tif 000011
【図１０】
2005347885.tif 000012